(57)【要約】  【課題】  シートを簡単に交換できるとともに、シートをフラットな面に保つような機構を備えたシートシャッター等を提供する。  【解決手段】  シートシャッター１は、シート１０と、シートを巻き上げ・巻き下げるローラ組立体２０と、本体ボックス３３と左右レールボックス３１からなるフレーム３０とを備える。シート１０は、シート閉状態において、シート最下部から本体ボックス３３の下部に至るフラットな下部シート１４と、下部シート１４の上端と接続され、ローラ組立体２０に取り付けられるフラットな上部シート１３からなる。上部シート１３と下部シート１４は、シート閉限において本体ボックス３３から下に出る接続バー１５によって接続されている。この接続バー１５において、下部シート１４を取り替えることができる。【選択図】  図１
2006037597.tif 000002
【特許請求の範囲】
【請求項１】
建物の開口において上げ下げされ該開口を開閉するシートと、該シートを巻き上げ・巻き下げる手段と、前記シートの幅方向両端部を上下に案内する左右のレールボックスと、該左右のレールボックスの上端部の間に掛け渡された、前記巻き上げ・巻き下げ手段を収納する本体ボックスと、を備えるシートシャッターであって、
前記シートが、
該シートの最下部に幅方向に延びるように取り付けられている補強兼重り部材と、
シート閉状態において、シート最下部から前記本体ボックスの下部に至るフラットなシート本体である下部シートと、
該下部シートの上端と接続され、前記巻き上げ・巻き下げ手段に取り付けられるフラットなシート本体である上部シートと、
両シートを接続するための、シート閉限において前記本体ボックスから下に出る、前記シートの幅方向に延びる接続バーと、
を具備し、
前記接続バー部において、前記下部シートを取り替え可能としたことを特徴とするシートシャッター。
【請求項２】
請求項１記載のシートシャッターと、
巻き下げられた前記下部シートの面に画像を投影するプロジェクターと、
を備えることを特徴とするシートシャッター。
【発明の詳細な説明】
【技術分野】
【０００１】
本発明は、建物の出入り口（開口）を開閉するシートシャッターに関する。特には、フラットタイプのシートを用いるシートシャッターであって、シートを簡単に交換でき、かつ、シート表面をフラットに保つ機構を備えたシートシャッターに関する。さらには、巻き下げられたシートの面に画像を投影する投影シートシャッターに関する。
【背景技術】
【０００２】
シートシャッターには、シートの幅方向に延びるパイプ（補強材）を、シートの上下方向中間部分に所定の間隔で固定したタイプのもの（非フラットタイプ）がある。このシートシャッターのパイプは、シートに耐風圧力を与える補強部材の役割を果たす。また、パイプはシャッター開口の左右のレールボックス間に渡されており、風圧（差圧）によってシートが帆のように膨らまないようにする変形防止部材の役割を果たす。
【０００３】
このような非フラットタイプのシートにおいては、円筒形のパイプがシートの上下方向中間部分に固定されており、パイプの部分が出っ張った凸状となり、シートの見栄えが悪くなる。また、パイプの分だけ重量が加わるので、シート全体の重量が重くなってしまい、シートの巻き上げ・巻き下げを行うモータにかかる負荷が大きくなってしまう。さらに、パイプが存在することにより、シートをロータパイプに巻き上げ・巻き下げするときにロータパイプが偏心し、振動が発生することがある。
【０００４】
一方、パイプが設けられていないフラットシートを用いたパイプレスシートシャッターもある。この種のシャッターは、パイプがないため見栄えがよいという特長を有する。さらに、振動の発生が抑えられるとともに、シートの重量が軽くなるため、モータにかかる負荷も少なくなる。
【０００５】
しかし、フラットシートはパイプがないため耐風圧性が弱く、シートの表裏面にかかる圧力の差が大きくなるとシートが帆のように大きく膨らんで、ひどい場合にはレールボックスからシートの端が抜けてしまう事態ともなりうる。このため、フラットシートシャッターは、シートの表裏面での圧力の差が比較的小さい室内向けや、比較的幅が狭いシャッターにしか用いられていない。そして、広い幅のシャッター開口が必要な場合や、室内用でもシートの表裏面の圧力差が大きい場合は、パイプ付きのシートシャッターを用いざるを得ない。
【０００６】
ところで、娯楽施設や店舗などにおいて集客性を高めるために、店頭に設けたガラス製の入口ドアに透光性のスクリーンを形成し、このスクリーンに所望の映像を映し出すような店頭ディスプレイ装置が提案されている（例えば、特許文献１参照）。
【０００７】
【特許文献１】特開平０６−４３８２１号公報
【発明の開示】
【発明が解決しようとする課題】
【０００８】
本発明者は、スーパーマーケットの食品販売フロアやコンビニエンスストアにおいて、売り場と食品倉庫又は調理場との間の出入り口に設けたシートシャッターに投影プロジェクターを組合わせて、下降したシートの面を投影スクリーンとして、この面にプロジェクターで画像情報を投影する新たなシステムを発案した。このようなシステムにおいては、特に、商品情報を提供することによって、その商品の購買意識を高めることが期待できる。
【０００９】
このような集客システムに使用できるシートシャッター（投影シートシャッター）としては、画像を歪んだり途切れたりすることのないようにシート上に映し出すために、フラットタイプのシートシャッターを用いることが望ましい。非フラットタイプのシートシャッターでは、パイプの部分で画像が途切れてしまうからである。しかしながら、フラットタイプのシートシャッターでは、前述の風で膨らむ問題があり、シートが風で膨らんだ場合には、シートに投影される画像が歪んでしまう。そこで、フラットタイプのシートシャッターにおいても、シートの歪みや撓みを極力なくして、シートを張った状態に保つことが要求される。
【００１０】
なお、非フラットタイプのシートシャッターを用いる場合でも、パイプの出っ張っていない側の面に画像を投影すれば問題はないように思えるが、以下のような問題点が生じる。投影シートシャッターにおいては、投影プロジェクターをシートの裏側（売り場の反対側、倉庫や調理場側）に設置して、シートの裏側の面に画像を投影することが好ましい。これは、プロジェクターをシートの表側に設置して、シートの表側の面に画像を投影した場合は、売り場内を通行する客によって画像が遮られて、シートに客の影が写ってしまうおそれがあるためである。つまり、シートは表裏面ともフラットである必要があり、いずれかの面にもパイプの出っ張りがあってはならない。また、中間パイプは、通常、シート片で形成された袋に入れられて、この袋をシート面に溶着することにより、シート面に取り付けられている。この際、シートの溶着部分は表面に凹凸が形成されてしまう。このため、シートの他の部分と表面状態が異なり、投影される画像の画質も異なり、画像全体の品質が低下する。さらに、シートのパイプが取り付けられていない側の面も、パイプによりやや出っ張ってしまうこともある。
【００１１】
このようなことにより、投影シートシャッターにはフラットタイプのシートを用いることを前提とするが、投影シートシャッターの実用化に際しては、さらに以下のような要求がある。
シートシャッターの開閉動作中（シートの巻き上げ・巻き下げ中）に、シートがロータパイプや同パイプに巻かれたシートに接触するため、シート表面が摩擦等によって傷付いたり摩り減ったりすることがある。また、シートが巻き下げられているときに、シート表面に汚れが付着するようなこともある。さらに、プロジェクターで映像を投影し続けていると、シート表面が汚れたり、埃が付着することが懸念される。このような場合、シートを交換したり、洗浄するなどの処置をとる必要があるが、現状のシートシャッターの場合、以下に説明するように、シートの交換には手間がかかる。
【００１２】
図５は、従来のシートシャッターの本体ボックスの構造を模式的に示す側面図である。
通常、シート１０は上端がロータパイプ２１にビス止め等の方法により取り付けられている。シート１０を交換する際は、まず、本体ボックス３３の下カバー４３を外し、その後本体カバー４１を外す。次に、ロータパイプ２１を、シート１０が取り外しやすい位置まで回転させて、シート１０をロータパイプ２１から取り外す。その後、新しいシートをロータパイプ２１に取り付ける。最後に、本体カバー４１と下カバー４３を本体ボックス３３に取り付ける。
このように、本体ボックス３３のカバー４１、４３を開けるなど大掛かりな作業が必要になってしまう。
【００１３】
さらに、フラットタイプのシートシャッターは、上述のように補強部材がないため、シートの表裏面にかかる圧力に少しでも差があると、シートが膨らんだり、シートにしわが発生することがある。このような場合、投影された画像が歪んだり途切れたりしてしまう。
【００１４】
本発明は上記の問題点に鑑みてなされたものであって、シートを簡単に交換できるとともに、シートをフラットな面に保つような機構を備えたシートシャッター等を提供することを目的とする。
【課題を解決するための手段】
【００１５】
本発明のシートシャッターは、  建物の開口において上げ下げされ該開口を開閉するシートと、該シートを巻き上げ・巻き下げる手段と、前記シートの幅方向両端部を上下に案内する左右のレールボックスと、該左右のレールボックスの上端部の間に掛け渡された、前記巻き上げ・巻き下げ手段を収納する本体ボックスと、を備えるシートシャッターであって、  前記シートが、  該シートの最下部に幅方向に延びるように取り付けられている補強兼重り部材と、  シート閉状態において、シート最下部から前記本体ボックスの下部に至るフラットなシート本体である下部シートと、  該下部シートの上端と接続され、前記巻き上げ・巻き下げ手段に取り付けられるフラットなシート本体である上部シートと、  両シートを接続するための、シート閉限において前記本体ボックスから下に出る、前記シートの幅方向に延びる接続バーと、を具備し、  前記接続バー部において、前記下部シートを取り替え可能としたことを特徴とする。
【００１６】
接続バーは本体ボックスの下方のシャッター開口の部分に位置しているため、接続バーを操作して下部シートを交換する際に、本体ボックスを分解する必要がない。したがって、シートが汚れたり傷付いた場合、比較的簡単な作業で下部シートを交換することができる。また、接続バーをある程度の剛性の部材とし、シートの下端に重り兼補強部材を設ければ、下部シートはその上下端において骨が入った形となり、シートの表面をフラットに保つことができる。さらに、接続バーは、耐風圧力を与える補強材としても作用するため、シートの表裏面で多少の差圧がある場合にも使用できる。
【００１７】
本発明の投影シートシャッターは、  上述のシートシャッターと、  巻き下げられた前記下部シートの面に画像を投影するプロジェクターと、を備えることを特徴とする。
【００１８】
シート面をフラットな状態に保つことができるとともに、画像が投影されるシート部分を簡単に交換することができるため、きれいな画像を投影することができる。
【発明の効果】
【００１９】
以上の説明から明らかなように、本発明によれば、シート表面が汚れた場合に簡単に交換できるシートシャッターを提供できる。さらに、シート表面をフラットな状態に保ち、耐風圧力を有するシートシャッターを提供できる。
さらには、常にきれいな画像を投影できるシートシャッターを提供できる。このようなシートシャッターは、新たな集客システム・販促システムとして用いることができる。
【発明を実施するための形態】
【００２０】
以下、本発明の実施の形態について、図面を参照しながら詳細に説明する。
図１は、本発明の実施の形態に係るシートシャッターの全体構造を説明するための図であり、図１（Ａ）は正面図、図１（Ｂ）は模式的側面断面図、図１（Ｃ）は平面図である。
図２（Ａ）は、図１のシートシャッターの本体ボックス付近を拡大して示す側面断面図であり、図２（Ｂ）はシートの一部を拡大して示す側面断面図である。
図１に示すように、シートシャッター１は、シート１０と、同シート１０を巻き上げ・巻き下げするローラ組立体２０と、フレーム３０等から構成される。フレーム３０は、左右のレールボックス３１Ｌ、３１Ｒと、左右レールボックス３１の上端間に掛け渡された本体ボックス３３を有する。本体ボックス３３と左右レールボックス３１で画された開口をシャッター開口という。図１（Ｂ）、図１（Ｃ）に示すように、左右のレールボックス３１及び本体ボックス３３の一方の面は、左右の柱３５Ｌ、３５Ｒで支持されている。以下、図１（Ｂ）、図１（Ｃ）に示すように、柱３５に対して、シート１０が存在する側を表側、その反対側を裏側とする。
【００２１】
左右レールボックス３１は、断面が方形の中空状の縦長のボックスである。図２（Ａ）に示すように、左右レールボックス３１の内側の面（シャッター開口側の面）には、上下に延びるスリット状の開口であるシート案内部３２が形成されている。
【００２２】
図１（Ａ）に示すように、本体ボックス３３内には、シート１０を巻き上げ・巻き下げするローラ組立体（巻き上げ・巻き下げ手段）２０が収納されている。ローラ組立体２０は、シート１０とほぼ同じ幅を有するロータパイプ２１と、同パイプ２１を回転させるモータ（減速機付き）２３を備える。ロータパイプ２１には、シート１０の上端がビス止め等の方法により取り付けられている。
【００２３】
本体ボックス３３の下面の、左右レールボックス３１間の部分には、同ボックス３３の幅方向に渡って、シート１０が出し入れされる開口３７が形成されている。図２（Ａ）に分かりやすく示すように、開口３７は、ロータパイプ２１の最も裏側の外周位置のほぼ真下に当る部分に設けられており、シート１０はロータパイプ２１の最も裏側の外周位置から巻き上げ・巻き下げされる。この間、シート１０の幅方向両端部は、左右のレールボックス３１の案内部３２内を通る。
【００２４】
モータ２３が一方向（図２（Ａ）の反時計方向）に回転すると、シート１０が本体ボックス３３の開口３７からロータパイプ２１の外周に巻き上げられて、シャッター開口が開く。そして、モータ２３が反対方向（図２（Ａ）の時計方向）に回転すると、シート１０がロータパイプ２１の外周から本体ボックス３３の開口３７を通って垂下するように巻き下げられて、シャッター開口が閉じられる。
【００２５】
本体ボックス３３には、モータ２３の回転等を制御する制御回路等が収容されているコントロールボックス（図示されず）が取り付けられている。
本体ボックス３３の前面は本体カバー４１によって開閉可能であり、下面は下カバー４３によって開閉可能である。
【００２６】
次に、シート１０について詳細に説明する。
シート１０は、中間補強パイプの取り付けられていないフラットシートである。図１（Ａ）に示すように、シート１０は、幅が左右のレールボックス３１の中心部間の距離とほぼ等しく、同シート１０の幅方向両端部は、左右レールボックス３１の案内部３２から左右レールボックス３１内に挿通されている。シート１０の一面の下端には、シート１０の幅方向に渡ってフラットバー１１が固定されている。フラットバー１１はシート１０の補強兼巻き下げ時の重りとなるもので、所定の重量を有する鋼帯等で作製される。
シート１０は、例えば、塩ビやポリエステル等の合成樹脂で作製される。
【００２７】
シート１０は、長さ方向において、上部シート１３と下部シート１４に分かれている。上部シート１３は、シート１０が最下部まで巻き下げられた状態（図１の状態、閉限）において、ロータパイプ２１との取り付け部から、本体ボックス３３の下面の開口３７からやや下方の位置（例えば、開口３７から約１０ｃｍ）までの部分である。そして、同位置で、上部シート１３に下部シート１４が接続バー１５で接続されている。下部シート１４は、この接続バー１５との接続位置（本体ボックス３３の下面の開口３７から下方の位置）から、シャッター開口の下端まで（フラットバー１１まで）の部分である。
【００２８】
図２（Ｂ）に詳しく示すように、接続バー１５は、ネジ１８で連結される表プレート１６と裏プレート１７を有する。各プレート１６、１７は同じ寸法で、幅はシート１０の幅と等しい。表プレート１６には、ネジ１８が通される貫通孔が開けられており、裏プレート１７には、ネジ１８が螺合するネジ穴が形成されている。このような貫通孔及びネジ穴は、各プレート１６、１７の上部と下部に、プレートの幅方向において約３０ｃｍの間隔で形成されている。
各プレート１６、１７は、所定の重量を有する金属板又はアルミの押出し板で作製される。
【００２９】
そして、上部シート１３の下端部と下部シート１４の上端部には、ネジ１８が通る貫通孔が開けられている。上部シート１３の下端と下部シート１４の上端を合わせて、表プレート１６と裏プレート１７で挟み、ネジ１８を、表プレート１６の貫通孔から上部シート１３又は下部シート１４の貫通孔を通して裏プレート１７のネジ穴に螺合させる。これにより、両プレート１６、１７間に上下部のシート１３、１４が挟み込まれて固定され、１枚のシート１０として使用することができる。
【００３０】
このような構造とすることにより、簡単な作業で、汚れや摩り減りが目立ちやすい下部シート１４を上部シート１３から取り外して、新しい下部シートに交換することができる。詳しく説明すると、まず、接続バー１５の上側のネジを緩め、下側のネジを外して下部シート１４を接続バー１５から取り外す。このとき、接続バー１５はシャッター開口の上部に位置するため、本体ボックス３３のカバーを外す必要がない。その後、新しい下部シート１４の上端を接続バー１５の両プレート１６、１７間に挟み込み、ネジ１８を表プレート１６から下部シート１４を通して裏プレート１７に螺合させ、最後に全部のネジ１８を締める。
このように本体ボックス３３を分解する必要が無く、簡単な作業で下部シートを交換できる。
【００３１】
また、表裏プレート１６、１７はある程度の重量を有するため、下部シート１４の上下端は骨が入った形となり、同シートの表面を張った状態とすることができる。さらに、接続バー１５は、耐風圧力を与える補強部材としても作用する。
【００３２】
図３は、本発明の投影シートシャッターの構成を説明する図であり、図３（Ａ）は投影シートシャッターの全体の構成を模式的に示す側面図、図３（Ｂ）はシートシャッターの正面図である。
投影シートシャッター２００は、図３（Ａ）に示すように、図１のシートシャッター１と、投影プロジェクター２０１を備える。このシートシャッター１は、上述のように、フラットタイプのシート１０を使用するものであり、シート１０が、接続バー１５で接続される上部シート１３と下部シート１４に分かれている。下部シート１４の色は白色で表面はマット処理されている。シート１０が下降した状態において、下部シート１４のほぼ上半分に相当する部分は投影スクリーン部２１０となる部分である。同部分には、シートの継ぎ目が存在しないことが好ましい。
【００３３】
プロジェクター２０１は、シートシャッター１の表側の空間内の天井に設置されている。このプロジェクター２０１から、シート１０のスクリーン部２１０に画像が投影される。スクリーン部２１０は、消費者Ｃの目の高さの位置に形成されているため、消費者Ｃはスクリーン部２１０に映し出された画像を歩きながら見ることができる。
【００３４】
このシートシャッター１は、上述のように、シート１０を上下方向に張った状態に維持できるため、画像は歪んだり途切れたりすることなく映し出される。
また、スクリーン部２１０が汚れたり、磨り減ったりした場合は、接続バー１５を分解するという簡単な作業により、下部シート１４を新しい下部シートに交換することができる。
【００３５】
また、シートシャッター１の本体ボックス３３には、画像情報と関連する音声情報を発するスピーカ２０５が備えられている。
【００３６】
投影される画像情報としては、商品のコマーシャルや、その店舗のセール品や店舗案内に関するものである。特に、画像情報として商品のコマーシャルを投影し、このシートシャッター１に隣接する位置に同商品を陳列することにより、この商品の購買意識を高めることが期待できる。
なお、画像情報や音声情報は、サーバから一括して送信される。情報の提供方法やサーバの制御方法については説明を省略する。また、画像情報の投影は、シートが下降している間だけで、シートが上げられるときには画像情報の投影が中断される。このような画像情報の制御方法についても説明を省略する。
【００３７】
図４は、図３の投影シートシャッターの他の例を示す図である。
図４（Ａ）の投影シートシャッター２００´は、反射式のプロジェクター２０１を使用するタイプのものである。同プロジェクター２０１はシートシャッター１の本体ボックス８１内に備えられている。プロジェクター２０１から投影される画像は、本体ボックス８１から前方に突き出た反射鏡２０３で反射して、シート１０のスクリーン部２１０に投影される。
【００３８】
この例においては、シート１０が、パイプレスのフラットタイプのものであるため軽量であり、シート１０のスムーズな巻き上げ・巻き下げが可能になる。つまり、中間パイプがないので、ロータパイプ２１の振動を抑えることができる。また、負荷の大きいモータを使用していないので、モータが発する騒音や振動が少ない。このようなことにより、本体ボックス８１に、プロジェクター２０１のような精密機器を搭載しても、プロジェクター２０１に振動等の悪影響を及ぼさない。
【００３９】
図４（Ｂ）の投影シートシャッター２００´´は、透過式のプロジェクター２０１を使用するタイプのものである。同プロジェクター２０１は、シートシャッター１の裏側のスペース（売り場と反対側の調理場や倉庫など）の天井等に取り付けられる。そして、この場合は、シート１０のスクリーン部２１０が透過式のスクリーンとなっている。スクリーン部２１０にプロジェクター２０１から画像が映し出されると、消費者Ｃは、同スクリーン部２１０を透過した画像を見る。
【図面の簡単な説明】
【００４０】
【図１】本発明の実施の形態に係るシートシャッターの全体構造を説明するための図であり、図１（Ａ）は正面図、図１（Ｂ）は模式的側面断面図、図１（Ｃ）は平面図である。
【図２】図２（Ａ）は、図１のシートシャッターの本体ボックス付近を拡大して示す側面断面図であり、図２（Ｂ）はシートの一部を拡大して示す側面断面図である。
【図３】本発明の投影シートシャッターの構成を説明する図であり、図３（Ａ）は投影シートシャッターの全体の構成を模式的に示す側面図、図３（Ｂ）はシートシャッターの正面図である。
【図４】図３の投影シートシャッターの他の例を示す図である。
【図５】従来のシートシャッターの本体ボックスの構造を模式的に示す側面図である。
【符号の説明】
【００４１】
１  シートシャッター                １０  シート
１１  フラットバー                  １３  上部シート
１４  下部シート                    １５  接続バー
１６  表プレート                    １７  裏プレート
１８  ネジ                          ２０  ローラ組立体
２１  ロータパイプ                  ２３  モータ
３０  フレーム                      ３１  レールボックス
３２  シート案内部                  ３３  本体ボックス
３５  柱                            ３７  開口
４１  本体カバー                    ４３  下カバー
２００  投影シートシャッター        ２０１  投影プロジェクター
２０３  反射鏡                      ２０５  スピーカ
２１０  スクリーン部
【図１】
2006037597.tif 000003
【図２】
2006037597.tif 000004
【図３】
2006037597.tif 000005
【図４】
2006037597.tif 000006
【図５】
2006037597.tif 000007